(57)【要約】【課題】取り出し時や収納時にコンタクトレンズに傷を発生させないと共に、コンタクトレンズの光学特性に影響を及ぼさないコンタクトレンズ用容器を提供する。【解決手段】保存液及びコンタクトレンズ７を収容する一又は二以上の窪み部８を有する容器本体部１と、前記窪み部８内に収容され、前記コンタクトレンズ７を載置するレンズ載置部３及び該レンズ載置部３を上方に移動させるための摘み部４を有する一又は二以上のコンタクトレンズ保持部材２と、前記窪み部８を覆う蓋部６と、を備えている。【選択図】図１
2014102434.tif 000002
【特許請求の範囲】
【請求項１】
保存液及びコンタクトレンズを収容する一又は二以上の窪み部を有する容器本体部と、
前記窪み部内に収容され、前記コンタクトレンズを載置するレンズ載置部及び該レンズ載置部を上方に移動させるための摘み部を有する一又は二以上のコンタクトレンズ保持部材と、
前記窪み部を覆う蓋部と、を備えたコンタクトレンズ用容器。
【請求項２】
前記コンタクトレンズ保持部材が、前記レンズ載置部を上方に移動させる際に、前記容器本体部の窪み部と係合して回動支点となる支点部を備え、前記摘み部と前記支点部がそれぞれ前記レンズ載置部に連結して設けられた請求項１に記載のコンタクトレンズ用容器。
【請求項３】
前記レンズ載置部が複数の貫通孔を有する請求項１又は２に記載のコンタクトレンズ用容器。
【請求項４】
前記レンズ載置部が上方に突出する球面形状に形成され、前記コンタクトレンズがフロントカーブ面を上方にして載置される請求項１乃至３の何れか一項に記載のコンタクトレンズ用容器。
【請求項５】
前記コンタクトレンズ保持部材と前記容器本体部とが別体に設けられた請求項１乃至４の何れか一項に記載のコンタクトレンズ用容器。
【請求項６】
前記コンタクトレンズ保持部材と前記容器本体部とが一体的に設けられた請求項１乃至４の何れか一項に記載のコンタクトレンズ用容器。
【発明の詳細な説明】
【技術分野】
【０００１】
本発明は、取り出し性に優れたコンタクトレンズ用容器に関する。
【背景技術】
【０００２】
最近では、コンタクトレンズを市場へ流通する際、個別にコンタクトレンズを包装したブリスター容器が用いられている。
【０００３】
一般的なブリスター容器は、コンタクトレンズとその保存液を収容する半球状の窪み部と、その開口部周辺に広がるフランジ部と、を有する合成樹脂製の本体部と、ポリプロピレンフィルムとアルミ箔の積層物からなる蓋部で構成されており、本体部と蓋部のシールには、加熱又は超音波による溶着方法が用いられている。
【０００４】
このブリスター容器からコンタクトレンズを取り出す方法として、掌に保存液ごと出したコンタクトレンズを指先で摘む方法があるが、この方法では、コンタクトレンズが流失する危険性を有していると共に、摘み上げる際にコンタクトレンズが折り曲げられるため、レンズの光学特性に悪影響を及ぼしたり、レンズ表面に傷を発生させたりすることが懸念される。また、蓋部を本体部から引き剥がし、ブリスター容器を開封した後に、窪み部に手指を入れて指先でコンタクトレンズをすくい上げる方法も一般的に行われているが、指先ですくい上げ、コンタクトレンズを取り出す過程で、蓋部を本体部から引き剥がす際に発生する溶着部の剥がれ跡にコンタクトレンズが接触する可能性が高く、レンズを傷付ける恐れがある。
【０００５】
コンタクトレンズ表面の傷は、擦り洗い時に破損の原因となったり、そこに汚れが蓄積しやすいことから、装用感や視力補正性の低下を引き起こす原因となったりするため、好ましくない。
【０００６】
さらに、窪み部に手指を入れて指先ですくい上げる方法においては、指ですくい上げる際、装用時に角膜に接するコンタクトレンズのベースカーブ面に手指が接触するため、手指に付着した汚れや細菌によってコンタクトレンズが汚染される恐れがある。特に、手指の洗浄が不十分な場合には、この汚染を原因とした眼疾患を誘発する危険性も懸念される。
【０００７】
これに対し、流通時のコンタクトレンズの保持性を向上すると共に、装用時のコンタクトレンズのベースカーブ面への手指の接触を抑止するようにしたコンタクトレンズ用パッケージが知られている（特許文献１参照）。この特許文献１に記載のコンタクトレンズ用パッケージは、コンタクトレンズとスプリングディスクをコンタクトレンズのカップの深さ（サジタルデプス）よりも浅いブリスター容器の収容空間において収容シートに挟み込み、コンタクトレンズが押圧された状態で収納されており、収容シートの開封により押圧されない状態に戻る際に、コンタクトレンズを元の形状に戻す補助をするようになっている。
【０００８】
また、流通時のコンタクトレンズの保持性を向上するために、凹状内面を有する第一部材と、凸状内面を有する第二部材とを重ね合わせた際に生じる対向内面間にコンタクトレンズを保持し、当該部材を保存液と共に収容するコンタクトレンズ流通ケースも開示されている（特許文献２参照）。
【先行技術文献】
【特許文献】
【０００９】
【特許文献１】特開２００５−２５０４９６号公報
【特許文献２】再表２００９−０６９２６４号公報
【発明の概要】
【発明が解決しようとする課題】
【００１０】
特許文献１に記載のコンタクトレンズ用パッケージは、コンタクトレンズのカップの深さよりも浅いブリスター容器に、コンタクトレンズがスプリングディスクと共に挟み込まれて押圧された状態で保存されるため、収容シートからの外部応力によるコンタクトレンズの光学特性への悪影響や形状不良、また、コンタクトレンズのスプリングディスクとの接触部に傷が発生しやすいという、新たな問題が危惧される。
【００１１】
特許文献２に記載のコンタクトレンズ流通ケースは、コンタクトレンズの形状を保持したまま収納されるものの、第一部材と第二部材を重ね合わせる際に、コンタクトレンズを挟み込むことが危惧される上、構造が複雑になる。また、保存液の液量を少なくした流通ケースでは、保存液の液量が極端に少なく、移送時の傾きにより、コンタクトレンズの一部或いは大半が液中に浸漬されない場合が考えられ、乾燥による光学特性への悪影響が生じる恐れがある。
【００１２】
また、特許文献１に記載のコンタクトレンズ用パッケージ及び特許文献２に記載のコンタクトレンズ流通ケースは、いずれもコンタクトレンズが２枚のシート状体に挟まれて収容されているために、開封と同時にコンタクトレンズが露出するから、開封時に誤ってコンタクトレンズを落下させる恐れもある。
【００１３】
そこで、本願発明は、取り出し時や収納時にコンタクトレンズに傷を発生させないと共に、コンタクトレンズの光学特性に影響を及ぼさないコンタクトレンズ用容器を提供することを目的とする。
【課題を解決するための手段】
【００１４】
上記課題を解決するために、本願発明者らは、収納時に光学特性を損ねることなく、且つ、取り出し時に容器のフランジ部と接触することなくコンタクトレンズを取り出す方法を鋭意検討し、装用時と同様の形状を保持した状態のコンタクトレンズと保存液を収納する窪み部を有する容器本体部と、窪み部内にあって可動式のコンタクトレンズ保持部材を組み合せることを考案した。
【００１５】
本発明は、保存液及びコンタクトレンズを収容する一又は二以上の窪み部を有する容器本体部と、前記窪み部内に収容され、前記コンタクトレンズを載置するレンズ載置部及び該レンズ載置部を上方に移動させるための摘み部を有する一又は二以上のコンタクトレンズ保持部材と、前記窪み部を覆う蓋部と、を備えたコンタクトレンズ用容器を提供するものである。
【００１６】
また、本発明のコンタクトレンズ用容器は、前記コンタクトレンズ保持部材が、前記レンズ載置部を上方に移動させる際に、前記容器本体部の窪み部と係合して回動支点となる支点部を備え、前記摘み部と前記支点部がそれぞれ前記レンズ載置部に連結して設けられたことを特徴とする。
【００１７】
また、本発明のコンタクトレンズ用容器は、前記レンズ載置部が複数の貫通孔を有することを特徴とする。
【００１８】
また、本発明のコンタクトレンズ用容器は、前記レンズ載置部が上方に突出する球面形状に形成され、前記コンタクトレンズがフロントカーブ面を上方にして載置されることを特徴とする。
【００１９】
また、本発明のコンタクトレンズ用容器は、前記コンタクトレンズ保持部材と前記容器本体部とが別体に設けられたことを特徴とする。
【００２０】
また、本発明のコンタクトレンズ用容器は、前記コンタクトレンズ保持部材と前記容器本体部とが一体的に設けられたことを特徴とする。
【発明の効果】
【００２１】
本発明のコンタクトレンズ用容器は、保存液及びコンタクトレンズを収容する一又は二以上の窪み部を有する容器本体部と、前記窪み部内に収容され、前記コンタクトレンズを載置するレンズ載置部及び該レンズ載置部を上方に移動させるための摘み部を有する一又は二以上のコンタクトレンズ保持部材と、前記窪み部を覆う蓋部と、を備えた構成を有することにより、窪み部内においてコンタクトレンズが装用時と同様の形状を保持してレンズ載置部に載置されるから、収納時にレンズの光学特性を損ねることがない。また、取り出し時には、開蓋後に摘み部を操作することによってレンズ載置部が上方に移動し、コンタクトレンズが保存液中より持ち上げられるから、コンタクトレンズを容器本体部に接触させたり落下させたりすることなく確実に取り出すことができ、レンズ表面に傷が発生せず、これに起因する破損の発生、装用感や視力補正性の低下を抑止することができる効果がある。
【００２２】
また、本発明のコンタクトレンズ用容器は、前記コンタクトレンズ保持部材が、前記レンズ載置部を上方に移動させる際に、前記容器本体部の窪み部と係合して回動支点となる支点部を備え、前記摘み部と前記支点部がそれぞれ前記レンズ載置部に連結して設けられたことにより、摘み部を指で引く又は押すなどの操作をすることによって、支点部を回動支点としてコンタクトレンズ保持部材が回動し、安定してレンズ載置部を上方に移動させることができる効果がある。
【００２３】
また、本発明のコンタクトレンズ用容器は、前記レンズ載置部が複数の貫通孔を有することにより、保存液が充填された窪み部内にコンタクトレンズ保持部材を収容する際に、貫通孔を保存液が通過して内側に保存液や空気を閉じ込めることがないから、レンズ載置部が浮遊することなく定位置に安定させることができる効果がある。
【００２４】
また、本発明のコンタクトレンズ用容器は、前記レンズ載置部が上方に突出する球面形状に形成され、前記コンタクトレンズがフロントカーブ面を上方にして載置されることにより、取り出し時にコンタクトレンズのフロントカーブ面を把持して、そのまま装着することができるから、コンタクトレンズのベースカーブ面に手指が接触することがなく、手指に付着した汚れや細菌によるコンタクトレンズの汚染を予防でき、さらには、コンタクトレンズの汚染を原因とした眼疾患の発生も予防することができる効果がある。
【００２５】
また、本発明のコンタクトレンズ用容器は、前記コンタクトレンズ保持部材と前記容器本体部とが別体に設けられたことにより、摘み部を把持してコンタクトレンズ保持部材を容器本体部の窪み部内から取り出すことができる効果がある。
【００２６】
また、本発明のコンタクトレンズ用容器は、前記コンタクトレンズ保持部材と前記容器本体部とが一体的に設けられたことにより、コンタクトレンズ保持部材の紛失を防止することができる効果がある。
【図面の簡単な説明】
【００２７】
【図１】本発明のコンタクトレンズ用容器の一実施例を示す断面図。
【図２】本発明のコンタクトレンズ用容器の一実施例を示す平面図。
【図３】そのコンタクトレンズ保持部の一実施例を示す断面図。
【図４】そのコンタクトレンズ保持部の一実施例を示す平面図。
【図５】本発明のコンタクトレンズ用容器の使用状態を示す断面図。
【図６】本発明のコンタクトレンズ用容器の一実施例を示す斜視図。
【図７】本発明のコンタクトレンズ用容器の別の実施例を示す断面図。
【図８】本発明のコンタクトレンズ用容器のさらに別の実施例を示す斜視図。
【発明を実施するための形態】
【００２８】
本発明に係るコンタクトレンズ用容器は、保存液及びコンタクトレンズ７を収容する一又は二以上の窪み部８を有する容器本体部１と、前記窪み部８内に収容され、前記コンタクトレンズ７を載置するレンズ載置部３及び該レンズ載置部３を上方に移動させるための摘み部４を有する一又は二以上のコンタクトレンズ保持部材２と、前記窪み部８を覆う蓋部６と、を備えている。このコンタクトレンズ用容器は、一の窪み部８内に一のコンタクトレンズ保持部材２を備えて一のコンタクトレンズ７を収容する構成の他、一の窪み部８内に二以上のコンタクトレンズ保持部材２を備えて二以上のコンタクトレンズ７を収容する構成、一又は二以上のコンタクトレンズ保持部材２を収容した二以上の窪み部８を備えて二以上のコンタクトレンズ７を収容する構成としてもよい。
【００２９】
本願発明者らは、特に、流通の際に用いるブリスター容器からコンタクトレンズを取り出す際の簡便性を改善すべく、ブリスター容器の態様と、開封時に生じる接着部の剥がれ跡による悪影響の低減に着眼した。
【００３０】
本発明のコンタクトレンズ用容器は、摘み部４を操作することによってレンズ載置部３を保存液中より持ち上げることで、レンズ載置部３に載置されたコンタクトレンズ７を容器本体部１より簡便に取り出せることを特徴としている。
【００３１】
以下、実施例によって本発明を具体的に説明するが、これらは本発明を限定するものではない。
【００３２】
［容器の第一態様］
図１及び図２において、容器本体１は、コンタクトレンズ７及び保存液を収容する窪み部８を有しており、窪み部８内にはレンズ載置部３及び摘み部４を有するコンタクトレンズ保持部材２が収容されている。コンタクトレンズ７は、形状が変化しないようにレンズ載置部３上に載置される。コンタクトレンズ７は、装用時と同様の形状を保持した状態で容器本体部１内に収容されるから、窪み部８の深さは、コンタクトレンズ７及びコンタクトレンズ保持部材２の全体が収容できるサイズに形成されている。１１は、容器本体部１の底部であり、コンタクトレンズ保持部材２の形状に合わせて任意の形状を採用することができるが、容器本体部１を静置した際の安定性、移送中のコンタクトレンズ７の位置性を考慮し、矩形状の平面に形成してあることが好ましい。
【００３３】
容器本体部１は、窪み部の周囲にフランジ部９を形成してある。また、容器本体部１の一方には、フランジ部９より僅かに高さが低い容器把持部１０を延設してあり、蓋部６を開封したりコンタクトレンズ７を取り出したりする際に容器本体部１を把持しやすくしてある。
【００３４】
コンタクトレンズ保持部材２は、レンズ載置部３を上方に移動させる際に、容器本体部１の窪み部８と係合して回動支点となる支点部５を備え、摘み部４と支点部５がそれぞれレンズ載置部３に連結して設けられ、容器本体部１に対して可動式になっている。支点部５は、矩形状の容器底部１１の一辺と係合する棒状体を成し、レンズ載置部３の底部に連結して一体的に形成されている。摘み部４は、レンズ載置部３に対して支点部５と同じ側に設けられ、レンズ載置部３の周縁部から斜め上方に向かって突出して形成されている。コンタクトレンズ保持部材２は、摘み部４を手指により手前（レンズ載置部３と反対側）に引くことにより、支点部５を中心にして回動するから、図５に示すようにレンズ載置部３が上方に移動して保存液中より持ち上がる。
【００３５】
コンタクトレンズ用容器において、コンタクトレンズ保持部材２は、コンタクトレンズ７の取り出し時に、レンズ載置部３の全体又は大部分が保存液の液面より持ち上がるような可動式であればよい。コンタクトレンズ保持部材２は、容器本体部１との一体成形による連結態様、容器本体部１とコンタクトレンズ保持部材２を独立成形後に支点部５において溶着又は嵌合した連結態様、或いは、各々独立したままの態様が考えられ得る。本発明においては、成形性及び可動性などを考慮して、図示の実施例のように、容器本体部１とコンタクトレンズ保持部材２の各々が独立していることが好ましい。なお、窪み部８の支点部５と係合する部分に溝部を設けることによって、コンタクトレンズ保持部材２の回動をさらに安定させることも可能である。
【００３６】
本発明のコンタクトレンズ用容器において、コンタクトレンズ７は、ベースカーブ面に手指が接触しないように、フロントカーブ面を上方にしてレンズ載置部３に載置されることが好ましい。レンズ載置部３は、コンタクトレンズ保持部材２において上方に突出する球面形状に形成されており、コンタクトレンズ７のベースカーブと同様の曲率を有していることが好ましい。さらに、移送時や保存時のコンタクトレンズ７の移動を抑止するために、コンタクトレンズ保持部材２は、窪み部８内の容器底部１１に安定して収容されていることが重要である。一つの手段として、コンタクトレンズ保持部材２におけるレンズ載置部３を複数の貫通孔を有した形状とすることが挙げられる。レンズ載置部３が当該形状を採用することにより、保存液が充填された窪み部８内にコンタクトレンズ保持部材２を収容する際に、内側に保存液や空気を閉じ込めることがないため、コンタクトレンズ保持部材２が浮遊することなく容器底部１１に接した定位置で安定することができる。
【００３７】
レンズ載置部３は、具体的な形状の一態様として、図２に示すように、曲面の頂点部となる中心部に環状部１２を有し、この環状部１２より放射状に延伸した骨部１３を有する。骨部１３は、コンタクトレンズ７のベースカーブと同様の曲率を有している。また、コンタクトレンズ７の安定性を考慮し、骨部１３の本数は４以上１２以下に形成されていることが好ましく、左右対称となるように偶数本配することがより好ましい。
【００３８】
容器底部１１の横幅は、コンタクトレンズ保持部材２を容器本体部１の底部に接して安定的に収容するために、レンズ載置部３の横幅ｈ（図４参照）より大きく設けることが好ましい。この窪み部８の横幅は、レンズ載置部３の横幅ｈに合わせることで、移送時及び保存時のレンズ載置部３の安定性を向上させることが可能となる。
【００３９】
図１及び図２において、３１はズレ防止部であり、コンタクトレンズ７がレンズ載置部３からズレ落ちるのを防止している。ズレ防止部３１は、図示の実施例のように、支点部５を設けた側及びその反対側に設けることにより、コンタクトレンズ保持部材２が回動してレンズ載置部３が保存液から持ち上げられる際に、コンタクトレンズ７がズレ落ちるのを確実に防止することができる。
【００４０】
摘み部４は、レンズ載置部３と連結して一体成形されており、図３に示すように、上方へ延伸した構造を有する。レンズ載置部３の底辺（容器底部１１）に対する摘み部４の角度ｅは、１°〜９０°で形成されることが好ましく、摘み部４の長さに係るコンタクトレンズ保持部材２の安定性の面から４５°〜８０°に形成することがより好ましい。また、摘み部４の長さが、窪み部８の深さを決定することとなる。摘み部４の長さが長すぎる場合、窪み部８を深く形成しなければならず、窪み部８の容積が大きくなることで、保存液中でレンズ載置部３やコンタクトレンズ７が移動しやすくなり、移送時や保存時にコンタクトレンズ７を定位置に保持することが困難になる。一方、摘み部４の長さが短すぎる場合、手指で摘み部４を操作してコンタクトレンズ保持部材２を回動させることが困難になる。このため、摘み部４の長さは、図３において、コンタクトレンズ保持部材２の高さｃに対し、摘み部４の高さｄが１１０〜１３０％となるように形成されていることが好ましい。さらに好ましくは、窪み部８の深さと、摘み部４の高さｄが等しくなる状態であり、当該構成とすることで、コンタクトレンズ保持部材２は、蓋部６に抑えられ、移送時の安定性が向上する。また、コンタクトレンズ７の取り出し時において、図５に示すようにレンズ載置部３が持ち上げられた状態におけるバランス性を考慮し、レンズ載置部３と摘み部４とは二点で連結するように形成することが好ましい。摘み部４は、この二点の連結部をレンズ載置部３に対して左右対照となるように配することで、バランス性をさらに向上させることが可能となる。図４に示すように、摘み部４は、この二点間の距離ｆをレンズ載置部３の横幅ｈよりも小さく形成することで、コンタクトレンズ７の取り出し時に摘み部４を手前に引く際の力が加わり易くなる。
【００４１】
支点部５は、レンズ載置部３と連結して一体成形されており、レンズ載置部３の底部より水平方向へ延伸した構造を有する。図３において、支点部５とレンズ載置部３の全長の合計であるコンタクトレンズ保持部材２の全長ｂが、窪み部８の容器底部１１の全長を決定することとなる。容器底部１１の全長は、コンタクトレンズ保持部材２を容器本体部１の底部に接して安定的に収容するために、コンタクトレンズ保持部材２の全長ｂより大きくすることが好ましい。また、容器底部１１の全長は、コンタクトレンズ保持部材２の全長ｂと合わせることにより、移送時及び保存時のコンタクトレンズ保持部材２の安定性を向上させることができる。支点部５が長すぎる場合、摘み部４を手前に引き、コンタクトレンズ保持部材２全体を保存液中より持ち上げる際の安定性が悪く、保持体勢を維持しにくくなる。このため、コンタクトレンズ保持部材２の全長ｂは、レンズ載置部３の全長ａに対し、１１０〜１５０％となるように形成されていることが好ましい。また、窪み部８へ収容された際のコンタクトレンズ保持部材２の安定性を考慮し、レンズ載置部３と支点部５とは二点で連結するように形成することが好ましい。支点部５は、この二点の連結部をレンズ載置部３に対して左右対照となるように配することで、安定性をさらに向上させることが可能となる。図４に示すように、支点部５は、この二点間の距離ｇをレンズ載置部３の横幅ｈと同じ幅に形成することで、移送時及び保存時の安定性及び、コンタクトレンズ保持部材２を持ち上げる際の支点としての効果が向上する。
【００４２】
コンタクトレンズ保持部材２は、摘み部４及び支点部５が容器把持部１０側に位置するように、容器本体部１の窪み部８内に収容されている。この構成により、コンタクトレンズ７を取り出す際には、容器把持部１０と摘み部４を手指で摘まんで摘み部４を容器把持部１０側に引き寄せることで、コンタクトレンズ保持部材２が支点部５を支点として安定的に回動し、レンズ載置部３を保存液中から確実に持ち上げることができる。また、容器底部１１及びコンタクトレンズ保持部材２の形状は、非対称形状にして、容器本体部１に対してコンタクトレンズ保持部材２が反転した場合に、コンタクトレンズ保持部材２が窪み部８内に誤って収容されないようにすることも可能である。
【００４３】
容器本体部１及びコンタクトレンズ保持部材２は、成形性や液密性がよいことから合成樹脂で形成してある。容器本体部１及びコンタクトレンズ保持部材２に用いる合成樹脂は、コンタクトレンズ７と保存液を封入した後に滅菌工程を行う必要があるので、オートクレーブ滅菌に耐えうる程度の耐熱性や耐薬品性を有するものが好ましい。一般的には、ポリエチレン、ポリプロピレン、脂環式ポリオレフィン、ポリエチレンテレフタレート、ポリブチレンテレフタレート、ポリカーボネート、熱可塑性エラストマー等が挙げられる。本発明のコンタクトレンズ用容器においては、取扱いの簡便性から、容器本体部１及びコンタクトレンズ保持部材２の双方ともにポリプロピレンが最も好ましく用いられる。さらに、本容器は、耐熱性を有する生分解性の樹脂を使用することで、使用後の廃棄処理を容易にするという利点も得られる。
【００４４】
本発明のコンタクトレンズ用容器において、蓋部６は、開封時に、蓋部６の全体が取り除き可能な一体のシート構造により形成されたシートタイプ、又は、窪み部８の開口部のみが取り除き可能なプルトップ構造により形成されたプルトップタイプなど、窪み部８を密閉可能な種々の構成を採用することができる。図２に示す容器は、蓋部６がシートタイプのものであり、通常のブリスター容器と同様に、窪み部８周辺のフランジ部９において蓋部６と容器本体部１とを溶着することにより密閉される。蓋部６は、容器本体部１との溶着部位がフランジ部９に連続する容器把持部１０まで至ると、蓋部６の開封性が低下するため好ましくない。シートタイプを採用した蓋部６の構造は、ポリプロピレンフィルムとアルミ箔の積層物で形成してあることが好ましい。蓋部６と容器本体部１の接合には、熱溶着、超音波溶着、高周波溶着などの通常のプラスチックの溶着方法を用いることができ、蓋部６と容器本体部１の材質によっては接着剤や溶剤による接着方法を用いることも可能であるが、熱溶着を用いることが最も好ましい。
【００４５】
蓋部６は、プルトップ構造を採用した場合、容器本体部１と同一の合成樹脂で形成してあることが好ましく、射出成型により形成することができる。なお、本発明のコンタクトレンズ用容器は、出荷用容器に限られず、保存用容器としても使用することができる。保存用容器としての蓋部６は、ねじ込み方式やフックによる係止方式など、着脱自在な構造であることが好ましい。
【００４６】
［容器の第二態様］
図７は、本発明のコンタクトレンズ用容器の別の実施例を示す断面図である。図７に示す容器本体部１は、容器底部１において、レンズ載置部３が位置する部分の底面にレンズ載置部３の球面形状より半径の小さい球面形状からなる椀部１４を形成してある。容器本体部１は、椀部１４によって容量が小さくなり、収容する保存液の液量を少なくすることができる。また、図７に示す容器本体部１は、容器底部１１がコンタクトレンズ保持部材２より大きい場合でも、椀部１４の球面形状をレンズ載置部３の球面形状に合わせることによって、窪み部８内でコンタクトレンズ保持部材２を定位置に安定して収容することができる。本容器の他の構成は、第一態様と同様である。
【００４７】
［容器の第三態様］
図８は、本発明のコンタクトレンズ用容器のさらに別の実施例を示す斜視図である。図８に示す容器本体部１は、窪み部８に該窪み部８を二つに分ける仕切部１５を形成してある。図８に示す容器は、それぞれの窪み部８にコンタクトレンズ保持部材２を収容してあり、それぞれのレンズ載置部３にコンタクトレンズ７を載置することができ、２枚のレンズを収容可能であるから、保存用容器として好適である。また、容器把持部１０には、「Ｌ」及び「Ｒ」の文字が刻印してある。本容器の他の構成は、第一態様と同様である。
【００４８】
また、図８に示す容器において、コンタクトレンズ保持部材２自体に仕切部を設けることにより、容器本体部１に仕切部１５を設けない構成にすることも可能である。コンタクトレンズ保持部材２に設けた仕切部は、複数の貫通孔を有することが好ましい。
【符号の説明】
【００４９】
１  容器本体部
２  コンタクトレンズ保持部材
３  レンズ載置部
４  摘み部
５  支点部
６  蓋部
７  コンタクトレンズ
８  窪み部
９  フランジ部
１０  容器把持部
１１  容器底部
１２  環状部
１３  骨部
１４  椀部
１５  仕切部
３１  ズレ防止部
ａ  レンズ載置部の全長
ｂ  コンタクトレンズ保持部材の全長
ｃ  トレンズ載置部の高さ
ｄ  摘み部の高さ
ｅ  摘み部の角度
ｆ  摘み部の横幅
ｇ  支点部の横幅
ｈ  レンズ載置部の横幅
【図１】
2014102434.tif 000003
【図２】
2014102434.tif 000004
【図３】
2014102434.tif 000005
【図４】
2014102434.tif 000006
【図５】
2014102434.tif 000007
【図６】
2014102434.tif 000008
【図７】
2014102434.tif 000009
【図８】
2014102434.tif 000010